(57)【特許請求の範囲】
【請求項１】
室内外を隔てる壁を貫通するパイプに屋外側から挿入して装着する円筒状の風洞、前記風洞内で回転するプロペラ式の羽根車および前記羽根車を駆動し前記風洞の屋外側開口部の外側に取付ネジでネジ付けされたモーターとからなり、前記羽根車の後縁部が前記風洞の屋外側開口部より所定量屋外側に突き出している送風機を有する本体と、
前記風洞の屋外側開口部の外周に連設され、半径方向に張出す平面部を有するフランジ部と、
前記フランジ部の端縁に設けられ屋外側の壁面に当接する当接部を有する前面構造と、
前記前面構造および前記モーターを所定の間隔を空けて覆う着脱可能の屋外フードと、
前記モーターの周囲に円盤状に半径方向に張り出し、前記フランジ部の前記平面部に向き合って設けられ、前記フランジ部との間に遠心ディフューザ風路を形成する風路部材と、を備え、
前記屋外フードを取外すことにより、前記送風機の前記本体への脱着を可能にしたことを特徴とする換気装置。
【請求項２】
請求項１に記載の換気装置であって、風路部材を取付ネジでモーターと共締めにして着脱可能に設けた換気装置。
【請求項３】
請求項１又は請求項２のいずれかに記載の換気装置であって、風路部材に吸音機能を持たせた換気装置。
【請求項４】
請求項１〜請求項３までのいずれかに記載の換気装置であって、屋外フードをアルミニウム等の金属材で構成した換気装置。
【請求項５】
請求項１〜請求項４までのいずれかに記載の換気装置であって、屋外フードと本体との係合を、前記本体のフランジ部の外周部に設けた凹溝と前記屋外フードの壁面側の縁部の嵌め合いにし、前記屋外フードを前記フランジ部にネジ付けにした換気装置。
【請求項６】
請求項１〜請求項５までのいずれかに記載の換気装置であって、本体の前面構造の下縁に壁面から漸次離反する水切り部を一体成形により設けた換気装置。
【発明の詳細な説明】
【技術分野】
【０００１】
本発明は、室内外を連通するダクトやパイプ等に屋外側から装着し、室内の空気を換気する換気装置に関するものである。
【背景技術】
【０００２】
室内外を連通する換気口の屋外側に設けて室内を換気する換気装置がある。この種の換気装置は、防雨防風のための屋外フードを備えている。なお、この種の換気装置についての従来技術としては特許文献１−４に開示された技術がある。
【０００３】
【特許文献１】実開昭６３−５５０４０号公報
【特許文献２】実開昭６０−１２１１９号公報
【特許文献３】実開昭５９−１９５４３４号公報
【特許文献４】特開２００４−１４４３３１号公報
【発明の開示】
【発明が解決しようとする課題】
【０００４】
この種の従来の換気装置は、送風機が多翼式のものと軸流式のものとがある。多翼式のものでは、嵩張るスクロールケーシングがあり、羽根車を駆動するモーターは、本体に固定されるスクロールケーシングに取付けられている。しかし、大風量・低静圧のプロペラファンを使った軸流式では、風洞がファンケーシングともなるので、プロペラファンを駆動するモーターを含め送風機は、屋外フードないしは、換気口に取付けた枠に設けた取付脚に取付けられている。従って、防雨防風のための屋外フード又はそれに類する構造は、換気装置の本体構造であり、通気開口部等に極普通に取付けられる屋外フードと共通化することはできず、外観意匠のまとまった屋外フードで換気装置を構成することができなかった。また、施工についても、屋外フード又はそれに類する構造とともに送風機を取付けなくてはならず、扱いが面倒で施工性及びメンテナンス性があまりよくないものであった。
【０００５】
本発明は、上記した問題点を解決するためになされたものであり、その課題とするところは、屋外側の外観意匠のまとまりの可能な、施工性及びメンテナンス性の良い軸流式の送風機による換気装置を得ることであり、その性能の向上を図ることである。
【課題を解決するための手段】
【０００６】
上記課題を解決するために本発明は、室内外を連通させるパイプやダクト等に屋外側から挿入して装着する円筒状の風洞を有し、風洞内でプロペラ式の羽根車が回転し、羽根車を駆動するモーターが風洞の屋外側開口部の外側に取付ネジでネジ付けされた送風機を備えた本体に、風洞の屋外側開口部の外周に連設され、平面部を有する半径方向に張出すフランジ部と、このフランジ部の端縁に設けられ、屋外側の壁面に当接する当接部を有する前面構造を設ける。本体の前面構造の外側を、モーターとともに間隔をもって被覆する着脱可能の屋外フードを設ける。屋外フードを取外すことにより、送風機の本体への脱着を可能にする手段を採用する。
【発明の効果】
【０００７】
本発明によれば、送風機は本体から屋外フードを取外せば脱着することができ、風洞はパイプやダクト等に屋外側から挿入して装着されるものであるので、施工が容易であり、メンテナンスもし易い。そして、屋外フードは単独の構成で、本体に対して着脱可能なため、通気開口部等に極普通に取付けられる屋外フードとも共通化することができ、外観意匠のまとまりの良い換気装置が得られる。
【発明を実施するための最良の形態】
【０００８】
本発明の換気装置は排気により換気をするもので、室内外を連通させるパイプやダクト等に屋外側から挿入して装着する円筒状の風洞を有し、風洞内でプロペラ式の羽根車が回転し、羽根車を駆動するモーターが風洞の屋外側開口部の外側に取付ネジでネジ付けされた送風機を備えた本体と、本体の屋外側を通風可能に覆う屋外フードとから構成されている。風洞の屋外側開口部の外周には、平面部を有する半径方向に張出すフランジ部と、このフランジ部の端縁に設けられ、屋外側の壁面に当接する当接部を有する前面構造が合成樹脂で風洞と一体に形成されている。風洞の屋外側開口部からフランジ部に続く部分はＲ形状のベルマウスとなっている。送風機は、風洞の屋外側開口部の口縁に中心線方向外側に延出された周方向に間隔をおいて三本形成された取付脚に、モーターの外殻のフランジにおいて取付ネジでネジ締めされて取付けられている。屋外フードは、アルミニウム材等の金属材で構成され、本体のフランジ部にネジ付けされ、本体の前面構造の外側を、モーターとともに間隔をもって被覆する。屋外フードの下部は屋外換気口として下向きに開放している。
【０００９】
この換気装置においては、送風機は、室内外を連通させるパイプやダクト等に屋外側から挿入して装着した本体から、屋外フードを取外せば脱着することができ、施工は容易で、メンテナンスもし易い。そして、屋外フードは、送風機の取付けやその他の機能部材を持たない単独の構成であり、本体に対して着脱可能なため、通気開口部等に極普通に取付けられる屋外フードとも色調、意匠、デザイン等の共通化・標準化を実現でき、住居において外観意匠のまとまりの良い換気装置となる。
【００１０】
実施の形態１．
図１は、本実施の形態の換気装置を施工状態で示す横断面図、図２は、同じく換気装置の正面図、図３は、施工途中の換気装置を示す斜視図である。
【００１１】
本実施の形態は、室内外を連通させるパイプ１やダクト等に屋外側から挿入して装着し、排気により換気を果たす換気装置に関するものである。この換気装置は、パイプ１等に挿入する円筒状の風洞２を有する合成樹脂製の本体フレーム３に、３枚羽根のプロペラ式の羽根車４とモーター５よりなる送風機が組付けられた本体６と、金属製の屋外フード７とから構成されている。本体フレーム３における風洞２の屋外側開口部８の外周には、平面部を有する半径方向に張出すフランジ部９と、このフランジ部９の端縁に設けられ、屋外側の壁面に当接する当接部１０を有する前面構造１１が風洞２に一体に形成されている。
【００１２】
前面構造１１の当接部１０の外縁は、コーキングフランジとして構成され、壁面間にコーキング１２が施されたり、壁面仕上げのモルタル等で塗込まれたりする。前面構造１１の下縁には、壁面から漸次離反する水切り部１３が斜め前方に向かって成形され、滴下する雨水で壁面が汚れるのを防いでいる。水切り部１３の両側は、三角形の側面構造１４で閉塞され、水切り部１３の強度保持と、外風の側方からの吹込みを防止している。風洞２の屋外側開口部８からフランジ部９に続く部分はＲ形状のベルマウスとなっていて、風洞２の室内側開口端もＲ形状になっている。風洞２の厚みは２．５ｍｍ程度であるが、室内側開口端をＲ１．５程の丸みを持つ形状にすることにより、パイプ１との段差による圧力損失を極小さくすることができる。
【００１３】
送風機は、風洞２の屋外側開口部８の口縁に中心線方向外側に延出された周方向に１２０度の間隔をおいて三本形成された取付脚１５に、モーター５が取付ネジ１６でネジ締めされて取付けられていて、送風機の軸方向寸法の吸込み側が略１／２だけ風洞２内に配置されている（図１，３参照）。各取付脚１５の自由端側には、風洞２の中心線方向に延び出す取付部１７が形成され、この取付部１７にモーター５の外殻のフランジがネジ付けされている。この取付ネジ１６を外せば、送風機は羽根車４ごと本体フレーム３から取付脚１５に羽根が干渉することなく取外すことができる。本体６は、風洞２の外周に設けられた取付バネ（図示しない）のバネ力でパイプ１に抜き差し可能に保持されるが、フランジ部９において壁面にネジ締め固定することもできる。風洞２の外周にはパッキン材１８が貼設され、パイプ１間の密閉性が確保されている。パイプ１の室内側開口端には、図１に示すような筒部に同様にパッキン材１８が貼設された化粧グリル１９が装着される。本体フレーム３のフランジ部９の上側には、アンプ収納部２０が凹設され、電源コード２１がアンプ収納部２０に収められたアンプにカシメられ、屋外コンセント等から送風機への給電が可能になっている（図２参照）。
【００１４】
屋外フード７は、アルミニウム材等の金属材で構成され、本体フレーム３のフランジ部９にネジ付けされ、本体６の前面構造１１の外側を、モーター５とともに間隔をもって被覆する。屋外フード７の下部は屋外換気口として下向きに開放していて、防鳥や防虫のための格子を持つギャラリ２２が設けられている。屋外フード７と本体フレーム３の前面構造１１との係合は、本体フレーム３のフランジ部９の外周部に設けた一連の凹溝２３と屋外フード７の壁面側の縁部の嵌め合いになっており、雨水の浸入が防止されている。なお、羽根車４の羽根形状を変えることで、給気による換気を果たす換気装置ともなる。
【００１５】
この換気装置においては、送風機は、室内外を連通させるパイプ１やダクト等に屋外側から挿入して装着した本体６から、屋外フード７を取外せば脱着することができ、施工は容易で、メンテナンスもし易い。そして、屋外フード７は、送風機の取付けやその他の機能部材を持たない単独の構成であり、本体６に対して着脱可能なため、通気開口部等に極普通に取付けられる屋外フードとも色調、意匠、デザイン等の共通化・標準化を実現でき、住居において外観意匠のまとまりの良い換気装置となる。本体フレーム３がコーキングフランジにおいてコーキング１２され、あるいはモルタル等で塗込まれても、屋外フード７は外すことができ、送風機の脱着も可能である。本体フレーム３は、金属製の屋外フード７で覆われていて、太陽の紫外線に晒されることがないので、大量生産の可能な合成樹脂の成型品として構成してもその劣化は防止される。
【００１６】
実施の形態２．
本実施の形態も実施の形態１と同様の換気装置に関するものであり、送風性能、静粛性能の改善を図ったものである。これらに係る構成以外は実施の形態１のものと同じである。従って、実施の形態１と同じ部分については、実施の形態１と同じ符号を用い、それらについての説明は省略する。図４は、本実施の形態の換気装置を施工状態で示す横断面図、図５は、同じく換気装置の正面図、図６は、換気装置のメンテナンス状態を示す斜視図である。
【００１７】
本実施の形態の換気装置においては、送風機の羽根車４の後縁部が、風洞２の屋外側開口部８より少し屋外側に突き出して設けられ、本体フレーム３のフランジ部９に向き合う円盤状の風路部材２４が取付脚１５の取付部１７にモーター５のフランジとともに取付ネジ１６で共締めされている（図５参照）。風路部材２４は、吸音材が貼られるか、吸音機能を有する多孔質材料で形成され、モーター５の半径方向に羽根車４の外径より張り出していて、本体フレーム３のフランジ部９との間に遠心ディフューザ風路２５を形成している（図４参照）。吹出し気流の流れは、遠心ディフューザ風路２５により旋回成分を含む軸方向から放射成分の半径方向に変えられる。即ち、回転方向成分が小さくなり、小さくなった成分が静圧上昇に変換される。つまり、外風の影響を受け難い性能の良い換気装置となる。風路部材２４に吸音機能を備えることで、ギャラリ２２から伝播する外の音は風路部材２４に吸音され、室内へ到達することは至って少なくなる。風路部材２４によって、音の伝播も風洞２のベルマウスから直線的に風洞２内に向かう経路をとらず、半径方向から風洞２に向かう経路となるため、消音性能は優れたものとなる。これ以外の機能は実施の形態１のものと同じである。
【図面の簡単な説明】
【００１８】
【図１】換気装置を施工状態で示す横断面図である。（実施の形態１）
【図２】換気装置の正面図である。（実施の形態１）
【図３】施工途中の換気装置を示す斜視図である。（実施の形態１）
【図４】換気装置を施工状態で示す横断面図である。（実施の形態２）
【図５】換気装置の正面図である。（実施の形態２）
【図６】換気装置のメンテナンス状態を示す斜視図である。（実施の形態２）
【符号の説明】
【００１９】
２  風洞、  ３  本体フレーム、  ４  羽根車、  ５  モーター、  ６  本体、  ７  屋外フード、  ８  屋外側開口部、  ９  フランジ部、  １１  前面構造、  １３  水切り部、  ２３  凹溝、  ２４  風路部材、  ２５  遠心ディフューザ風路。
【図１】
0004696026.tif 000002
【図２】
0004696026.tif 000003
【図３】
0004696026.tif 000004
【図４】
0004696026.tif 000005
【図５】
0004696026.tif 000006
【図６】
0004696026.tif 000007